(57)【要約】【課題】電子機器全体としての消費電力を削減すること。【解決手段】所定の容量を有すると共にその所定の容量の範囲内で電力を供給する電源によって駆動することができる電子機器は、所定の時間において第１の電力を消費して情報をユーザに提示することができる第１の提示機能と、その所定の時間において第１の電力より小さい第２の電力を消費して情報をユーザに提示することができる第２の提示機能と、を有し、電源が供給することができる電力の残量が所定値まで低下したことに応じて、省電力制御を行う。省電力制御では、第１の提示機能をオフとすると共に、第２の提示機能に、省電力制御を行わない場合の情報の提示の方法と異なる方法で情報を提示させる。【選択図】図４
2018081494.tif 000002
【特許請求の範囲】
【請求項１】
所定の容量を有すると共に前記所定の容量の範囲内で電力を供給する電源によって駆動することができる電子機器であって、
所定の時間において第１の電力を消費して情報をユーザに提示することができる第１の提示手段と、
前記所定の時間において前記第１の電力より小さい第２の電力を消費して情報をユーザに提示することができる第２の提示手段と、
前記電源が供給することができる電力の残量が所定値まで低下したことに応じて、省電力制御を行う制御手段と、
を有し、
前記制御手段は、前記省電力制御において、前記第１の提示手段をオフとすると共に、前記第２の提示手段に、前記省電力制御を行わない場合の情報の提示の方法と異なる方法で情報を提示させる制御を行う、
ことを特徴とする電子機器。
【請求項２】
前記制御手段は、前記省電力制御において、前記第２の提示手段に、前記省電力制御が行われない場合に提示される情報より詳細な情報を提示させる制御を行う、
ことを特徴とする請求項１に記載の電子機器。
【請求項３】
前記第１の提示手段は液晶表示装置であり、前記第２の提示手段は発光ダイオードである、
ことを特徴とする請求項１または２に記載の電子機器。
【請求項４】
前記制御手段は、前記省電力制御において、他の装置による前記電子機器への情報の問い合わせの周期を長くさせるためのコマンドを前記他の装置へと送信する制御を行う、
ことを特徴とする請求項１から３のいずれか１項に記載の電子機器。
【請求項５】
他の装置と通信を行うための１つ以上の通信インタフェースを有し、
前記制御手段は、前記１つ以上の通信インタフェースが使用された履歴に基づいた順位に従って、前記省電力制御において当該１つ以上の通信インタフェースのうちの少なくともいずれかを無効化する制御を行う、
ことを特徴とする請求項１から４のいずれか１項に記載の電子機器。
【請求項６】
他の装置と通信を行うための１つ以上の通信インタフェースを有し、
前記制御手段は、ユーザによって指定された情報に基づいた順位に従って、前記省電力制御において当該１つ以上の通信インタフェースのうちの少なくともいずれかを無効化する制御を行う、
ことを特徴とする請求項１から４のいずれか１項に記載の電子機器。
【請求項７】
前記制御手段は、前記順位に従って、前記残量が第１の所定値まで低下した場合に前記１つ以上の通信インタフェースのうちの第１の通信インタフェースを無効化し、さらに、前記残量が前記第１の所定値より低い第２の所定値まで低下した場合に前記１つ以上の通信インタフェースのうちの第２の通信インタフェースを無効化する制御を行う、
ことを特徴とする請求項５又は６に記載の電子機器。
【請求項８】
前記制御手段は、前記１つ以上の通信インタフェースのうち通信を実行中の通信インタフェースについては無効化せずに有効状態を維持する制御を行う
ことを特徴とする請求項５から７のいずれか１項に記載の電子機器。
【請求項９】
前記制御手段は、前記省電力制御を行わない場合にも待機状態が一定時間だけ継続された場合に前記第１の提示手段をオフとするように制御し、
前記制御手段は、前記残量が前記所定値より高い他の所定値まで低下した後の前記一定時間を、前記残量が前記他の所定値まで低下する前の前記一定時間より短くするように制御する、
ことを特徴とする請求項１から８のいずれか１項に記載の電子機器。
【請求項１０】
前記電子機器はインクジェットプリンタであり、印刷の終了後にプリントヘッドに対するキャッピングを行うように構成され、
前記制御手段は、前記省電力制御において、印刷の終了後に前記キャッピングを行う前の待機時間を短くするように制御を行う、
ことを特徴とする請求項１から９のいずれか１項に記載の電子機器。
【請求項１１】
前記制御手段は、所定の操作が行われている状態において、前記省電力制御が行われない場合には前記電子機器の当該所定の操作に関連して起動しておくべき所定の構成要素に対して電力を供給しないことを許容せず、前記省電力制御が行われている場合には前記電子機器の当該所定の構成要素に対して電力を供給しないことを許容するように制御を行う、
ことを特徴とする請求項１から１０のいずれか１項に記載の電子機器。
【請求項１２】
前記制御手段は、エラーが発生している状態において、前記省電力制御が行われない場合には前記電子機器の前記エラーからの復帰に関連して起動しておくべき所定の構成要素に対して電力を供給しないことを許容せず、前記省電力制御が行われている場合には当該所定の構成要素に対して電力を供給しないことを許容するように制御を行う、
ことを特徴とする請求項１から１１のいずれか１項に記載の電子機器。
【請求項１３】
前記電子機器は画像処理装置である、
ことを特徴とする請求項１から１２のいずれか１項に記載の電子機器。
【請求項１４】
所定の時間において第１の電力を消費して情報をユーザに提示することができる第１の提示手段と、前記所定の時間において前記第１の電力より小さい第２の電力を消費して情報をユーザに提示することができる第２の提示手段と、を有し、所定の容量を有すると共に前記所定の容量の範囲内で電力を供給する電源によって駆動することができる電子機器を制御する方法であって、
前記電源が供給することができる電力の残量が所定値まで低下したことに応じて、省電力制御を行う制御工程を有し、
前記省電力制御では、前記第１の提示手段をオフとすると共に、前記第２の提示手段に、前記省電力制御を行わない場合の情報の提示の方法と異なる方法で情報を提示させる制御が行われる、
ことを特徴とする方法。
【請求項１５】
コンピュータを、請求項１から１３のいずれか１項に記載の電子機器の各手段として機能させるためのプログラム。
【発明の詳細な説明】
【技術分野】
【０００１】
本発明は、電子機器の省電力技術に関する。
【背景技術】
【０００２】
一次電池や二次電池等の内部で供給される電力によって動作可能な電子機器では、動作中に電源が遮断されないように制御を行うことが重要である。特許文献１には、バッテリから電力を供給されている印刷装置が、バッテリ残量に関する情報に基づいて、通常モードで印刷を行うか、省電力モードで印刷を行うか、それとも印刷を行わないかを判定する技術が記載されている。特許文献２には、バッテリから電力を供給されている印刷装置が、バッテリ残量の低下を検知したことに応じて、ホスト装置との通信に関する通信インタフェースを、電力消費の少ない通信インタフェースに切り替える技術が記載されている。
【先行技術文献】
【特許文献】
【０００３】
【特許文献１】特開２０１３−１３２８９６号公報
【特許文献２】特開２００３−２５１８９３号公報
【発明の概要】
【発明が解決しようとする課題】
【０００４】
電子機器は、その主たる用途で使用されている時間は比較的短く、待機時間が長いものも多い。しかしながら、特許文献１及び２に記載の印刷装置は、印刷動作中における消費電力を低減するものであり、それ以外の機能に関する消費電力の削減技術については検討されていない。このため、印刷装置全体としての消費電力についてはまだ削減の余地があるという課題があった。
【０００５】
本発明は上記課題に鑑みなされたものであり、電子機器全体としての消費電力を削減することを目的とする。
【課題を解決するための手段】
【０００６】
上記目的を達成するために、本発明の一態様による電子機器は、所定の容量を有すると共に前記所定の容量の範囲内で電力を供給する電源によって駆動することができる電子機器であって、所定の時間において第１の電力を消費して情報をユーザに提示することができる第１の提示手段と、前記所定の時間において前記第１の電力より小さい第２の電力を消費して情報をユーザに提示することができる第２の提示手段と、前記電源が供給することができる電力の残量が所定値まで低下したことに応じて、省電力制御を行う制御手段と、を有し、前記制御手段は、前記省電力制御において、前記第１の提示手段をオフとすると共に、前記第２の提示手段に、前記省電力制御を行わない場合の情報の提示の方法と異なる方法で情報を提示させる制御を行う、ことを特徴とする。
【発明の効果】
【０００７】
本発明によれば、電子機器全体としての消費電力を削減することができる。
【図面の簡単な説明】
【０００８】
【図１】画像処理装置の概要を示す図である。
【図２】画像処理装置の構成例を示すブロック図である。
【図３】バッテリ装置が有する電池残量の挙動の例を示す図である。
【図４】省電力状態への移行と解除の判定処理の流れを示すフローチャートである。
【図５】画像処理装置に備えられたＵＩパネルの構成例を示す図である。
【図６】ＵＩパネルにおける情報提示処理の例を示す図である。
【図７】画像処理装置とホスト装置との接続状態の例を示す図である。
【図８】ホスト装置に対して送信されるステータス応答コマンドの例を示す図である
【図９】画像処理装置とホスト装置との接続に用いられた通信インタフェースの履歴を管理する管理テーブルの例を示す図である。
【図１０】省電力状態と非省電力状態とでの制御の切り替え例を示す図である。
【発明を実施するための形態】
【０００９】
以下、添付の図面を参照しながら本発明の実施の形態について詳細に説明する。なお、本実施形態において説明した構成要素の内容、相対配置等は、特段の説明がない限りは、本発明の範囲をそれらの説明された内容に限定するものではない。
【００１０】
本実施形態では、電子機器の内部に配置されうると共に、各機能部へと電力を供給する内部電源を有する電子機器の待機時の消費電力を低減する制御手法について説明する。なお、以下では、電子機器が内部にバッテリを有する場合の例について説明するが、本明細書及び添付の特許請求の範囲における「バッテリ」は、一般的には一次電池又は二次電池でありうるが、大容量コンデンサ及び燃料電池を含む概念である。また、バッテリは、外付けバッテリなど、電子機器との間で着脱可能なバッテリでありうる。すなわち、以下では、バッテリとして、所定の容量を有する二次電池が用いられるものとするが、その容量の範囲内で電子機器に対して電力を供給する装置であれば、どのような物であってもよい。なお、以下では、バッテリ以外の電源として商用電源等のＡＣ（交流）電源が用いられるものとするが、これについても、容量の制約なく外部から電子機器に電力を供給する任意の電源でありうる。
【００１１】
また、本実施形態では、電子機器が画像処理装置（印刷装置）である場合の例について説明するが、これに限られず、以下で説明する制御を実行可能な構成を有する任意の機器でありうる。以下では、まず装置の構成例について説明した後に、省電力制御のいくつかの例について説明する。
【００１２】
（装置構成）
図１に、本実施形態に係る画像処理装置の概要を示す。本実施形態の画像処理装置２００は、ＡＣ電源装置１００に接続可能であり、ＡＣ電源からの電力の供給を受けることができる。また、画像処理装置２００は、その内部に充電可能なバッテリ装置３００を含む。なお、バッテリ装置３００は、着脱可能であってもよいし、着脱不能なように画像処理装置２００の内部に固定されていてもよい。
【００１３】
画像処理装置２００は、例えば、電力の供給元の切り換えなどを制御する電源制御機能と、インクジェットプリンタなどの印刷部を用いた印刷機能、読み取り装置を用いたスキャン機能を有する。画像処理装置２００は、ＡＣ電源装置１００に接続されている場合はＡＣ電源装置１００から供給される電力で動作し、例えば印刷機能やスキャン機能等の主たる機能が用いられていない状態ではバッテリ装置３００の充電を行うことができる。一方、画像処理装置２００は、ＡＣ電源装置１００に接続されていない場合、バッテリ装置３００から供給される電力で動作する。この場合、電力の供給元であるバッテリ装置３００が有する電池残量は、画像処理装置２００の動作に応じて徐々に低下していく。画像処理装置２００は、任意のタイミングにおいて、バッテリ装置３００が有する電池残量の情報を取得して、その電池残量の情報を制御判断の指標として利用することができる。
【００１４】
図２は、画像処理装置２００の構成例を示すブロック図である。画像処理装置２００は、装置のメインの制御を行うメインボード２０１、ＡＣ電源装置１００を接続することができるＡＣ電源接続ユニット２１８、各種通信ユニット、及び、バッテリ装置３００を有する。
【００１５】
図２では、各種通信ユニットとして、無線ＬＡＮ（以下、「ＷＬＡＮ」と呼ぶ。）通信のためのＷＬＡＮユニット２１９、Ｂｌｕｅｔｏｏｔｈ（登録商標、以下では「ＢＴ」と呼ぶ。）通信のためのＢＴユニット２２０、及び、ＵＳＢでの通信のためのＵＳＢユニットが示されている。ただし、これらに限られず、これらの少なくともいずれかが省略されてもよいし、また、例えばＮＦＣ通信のためのユニットや、赤外線通信のためのユニット等の不図示の通信ユニットが含められてもよい。なお、ＵＳＢは、Ｕｎｉｖｅｒｓａｌ  Ｓｅｒｉａｌ  Ｂｕｓの頭字語であり、ＮＦＣはＮｅａｒ  Ｆｉｅｌｄ  Ｃｏｍｍｕｎｉｃａｔｉｏｎの頭字語である。各通信ユニットは、対応する通信方法（ＷＬＡＮ、ＢＴ、ＵＳＢ等）によって、外部の装置と通信を行うことを可能とする機能部であり、バスケーブル２２２によってメインボード２０１と接続される。例えば、画像処理装置２００は、通信ユニットの少なくともいずれかを用いて、外部の装置から画像データを受信し、印刷を実行する。また、画像処理装置２００は、通信ユニットの少なくともいずれかを用いて、例えば印刷に関する制御情報を外部の装置へと送信しうる。
【００１６】
次に、メインボード２０１の内部構成について説明する。中央演算処理部（ＣＰＵ）２０２は、システム制御部であり、画像処理装置２００の全体を制御する。なお、ＣＰＵではなく、特定用途向け集積回路（ＡＳＩＣ）、デジタルシグナルプロセッサ（ＤＳＰ）、フィールドプログラマブルゲートアレイ（ＦＰＧＡ）等の、任意のプロセッサが用いられてもよい。なお、プロセッサは１つでなくてもよく、複数のプロセッサが用いられてもよい。ＲＯＭ２０３は、ＣＰＵ２０２によって実行される制御プログラムや組み込みオペレーティングシステム（ＯＳ）プログラムなどを格納する記憶装置である。ＲＯＭ２０３に格納されている制御プログラムは、例えば、ＲＯＭ２０３に格納されている組み込みＯＳの管理下で、スケジューリングやタスクスイッチなどのソフトウェア制御を実行する。ＲＡＭ２０４は、例えば、ＳＲＡＭ（ｓｔａｔｉｃ  ＲＡＭ）で構成される。ＲＡＭ２０４には、プログラム制御変数や、ユーザが登録した設定値などの、画像処理装置２００の管理データが格納され、各種ワーク用バッファ領域が設けられる。不揮発性メモリ２０５は、例えば、フラッシュメモリ（ｆｌａｓｈ  ｍｅｍｏｒｙ）で構成され、電源がＯＦＦとされた時にも保持されるべき、例えばネットワーク接続情報やユーザデータなどのデータを格納する。本実施形態で用いられる各テーブルの情報は、例えば不揮発性メモリ２０５に保存される。画像メモリ２０６は、例えば、ＤＲＡＭ（ｄｙｎａｍｉｃ  ＲＡＭ）で構成される。各通信ユニットを介して受信した画像データや、後述する符復号処理部２０７で処理した画像データなどを蓄積する。
【００１７】
符復号処理部２０７は、画像処理装置２００によって扱われる画像データ（ＪＰＥＧ、ＰＮＧなど）の符号化処理並びに復号処理、及び拡大縮小処理等の各種処理を実行する。データ変換部２０８は、ページ記述言語等の解析や、画像データからプリントデータへの変換等の処理を行う。操作部２０９は、ボタン操作やパネル操作によるユーザ操作を受け付ける。表示部２１０は、ディスプレイなどの表示装置であり、ユーザに対して情報を提示する。なお、操作部２０９と表示部２１０は、タッチパネル等の１つのデバイスによって構成されてもよい。
【００１８】
給紙部２１１は、印刷のための用紙を保持する事ができ、印刷制御部２１２による制御に従って給紙を行う。印刷制御部２１２は、印刷される画像データに対し、画像処理制御部２１３を介して、スムージング処理や記録濃度補正処理、色補正などの画像処理を施して高精細な画像データに変換し、印刷部２１４に出力する。また、印刷制御部２１２は、印刷部２１４の情報を定期的に読み出し、ＲＡＭ２０４の情報を更新しうる。例えば、印刷制御部２１２は、ＲＡＭ２０４に記憶されたインクタンクの残量やプリントヘッドの状態などの情報を更新することができる。印刷部２１４は、給紙部２１１から給紙された用紙の紙面上にインクを吐出することによって、画像データを印刷する。印刷部２１４は、例えば、複数のモーターで駆動するプリントヘッドと、プリントヘッドに取り付けられているインクタンクと、インクタンクからインクを吐出するために制御されるヒーター等を含んで構成される。
【００１９】
読取制御部２１５は、読取部２１６を制御することによって、不図示の原稿台に置かれた紙面上の文字や画像の情報を光学的に取得する。なお、取得された画像データは、符復号処理部２０７や画像処理制御部２１３を介して、符号化処理／復号処理や、各種画像処理が施されて、画像メモリ２０６や外部記憶装置に保存される。読取部２１６は、光学センサにより紙面上の文字や画像データをＲＧＢデータとして取得する。読取部２１６は、例えば、読み取り対象の原稿を固定するガラス台（原稿台）、原稿に光を当てる光源、その反射光を走査するセンサ、及び、複数枚の読み取り原稿を自動で搬送し、読み取り処理を実行するフィーダ等を含んで構成される。なお、センサは、例えば、ＣＣＤ（Ｃｈａｒｇｅ  Ｃｏｕｐｌｅｄ  Ｄｅｖｉｃｅｓ）やＣＩＳ（Ｃｏｎｔａｃｔ  Ｉｍａｇｅ  Ｓｅｎｓｏｒ）であり、フィーダは、ＡＤＦ（Ａｕｔｏ  Ｄｏｃｕｍｅｎｔ  Ｆｅｅｄｅｒ）でありうる。
【００２０】
電源制御部２１７は、電源接続状態を検知し、画像処理装置２００の駆動に必要な電力の供給制御を行う。ここで、電源接続状態とは、ＡＣ電源装置１００への接続／非接続を示す状態である。例えば、電源制御部２１７は、ＡＣ電源接続ユニット２１８を介して、電源接続状態を検知し、その状態に基づいて、ＡＣ電源装置１００とバッテリ装置３００とのどちらから画像処理装置２００の駆動のための電力を供給するかを制御することができる。電源接続状態の検知は、例えば、ＣＰＵ２０２が、ＡＣ電源接続ユニット２１８からの割り込みを検出することにより、または、ＡＣ電源接続ユニット２１８の状態を任意の間隔でポーリングすることにより、行われる。また、ＡＣ電源装置１００が接続されており、画像処理装置２００の主要な機能が実行されておらず、電力消費量が相対的に少ない状況下において、バッテリ装置３００は、ＡＣ電源装置１００からの電力を利用して充電を行うことができる。さらに、電源制御部２１７は、バッテリ装置３００と定期的に通信することにより、バッテリ装置３００の電池残量やバッテリ装置３００のエラー状態などの情報を取得することができる。ＣＰＵ２０２は、電源制御部２１７が取得した情報に応じて、情報表示および動作制御を指示する。ＣＰＵ２０２は、例えば、ネットワークを経由してＲＯＭのアップデートを行う際に、電源制御部２１７から電源の接続状態の情報を取得し、ＡＣ電源装置１００が接続されていない間にそのアップデートを開始しない等の処理を行うことができる。
【００２１】
なお、上述の各構成要素２０２〜２２１は、ＣＰＵ２０２が管理するシステムバス２２３を介して、相互に接続されている。
【００２２】
図３は、画像処理装置の動作に応じたバッテリ装置が有する電池残量の挙動の例を示す図である。図３において縦軸は電池残量であり、横軸は時間を示している。例えば、時刻ｔ1における電池残量がｘ1［ｍＡｈ］であることが、図３から読み取られる。バッテリ装置３００は、ＡＣ電源装置１００によって充電されることにより、電池残量が最大容量（本例では、２０００［ｍＡｈ］）に達しうる。バッテリ装置３００の電池残量は、画像処理装置２００が例えばＡＣ電源装置１００に接続されることなく電源ＯＮとされ、バッテリ装置３００が画像処理装置２００に電力の供給を開始することで、徐々に減少していく。特に、図３に示すように、ユーザからの動作指示であるジョブを実行し、印刷部２１４や読取部２１６が駆動されている間には、相対的に多くの電池残量が消費される。ここで、ＡＣ電源装置１００による充電が行われることなく電池残量が減少し続け、例えば図３に示す動作停止電池残量（２００［ｍＡｈ］）に達すると、画像処理装置２００を起動し続けることが困難となる。このため、このような場合には、ＣＰＵ２０２は、画像処理装置２００の動作を停止する。
【００２３】
電源制御部２１７は、バッテリ装置３００と定期的に通信することにより、バッテリ装置３００の電池残量やエラー状態等の情報を取得することができる。例えば、電源制御部２１７は、時刻ｔ1においてバッテリ装置３００と通信することで、バッテリ装置３００の電池残量ｘ1が１８００［ｍＡｈ］であることを知ることができる。
【００２４】
図４は、画像処理装置の省電力状態への移行及びその解除の判定処理の流れの例を示すフローチャートである。本処理は、例えば、ＣＰＵ２０２が、ＲＯＭ２０３に格納されている制御プログラムを実行することによって実現される。なお、本制御のためのプロセッサ（及びメモリ等の記憶装置）が別個に設けられ、そのプロセッサによって本処理が実行されてもよい。また、本処理は、例えば、画像処理装置２００がＡＣ電源装置１００に接続された若しくは接続が解除された際に、又は、画像処理装置２００がバッテリ装置３００によって供給される電力で駆動中に一定周期で、実行されうる。
【００２５】
本処理では、まず、電源接続状態であるか否か、すなわち、ＡＣ電源装置１００による給電が行われているか否かが判定される（Ｓ４０１）。電源接続状態であると判定された場合（Ｓ４０１でＹＥＳ）、画像処理装置２００は非省電力状態に設定され（Ｓ４０５）、処理は終了する。一方、電源接続状態でないと判定された場合（Ｓ４０１でＮＯ）、続いて、バッテリ装置３００の電池残量の情報が取得され（Ｓ４０２）、その電池残量が省電力状態の判定閾値と比較される（Ｓ４０３）。なお、省電力状態の判定閾値は、例えばＲＯＭ２０３やＲＡＭ２０４等に記憶される。電池残量が閾値を上回っていると判定された場合（Ｓ４０３でＹＥＳ）は、画像処理装置２００は非省電力状態に設定される（Ｓ４０５）。一方、電池残量が閾値以下であると判定された場合（Ｓ４０３でＮＯ）は、画像処理装置２００は省電力状態に設定されて（Ｓ４０４）、処理は終了する。
【００２６】
以下では、省電力状態に設定された場合のいくつかの省電力制御動作の例について説明する。以下で説明する省電力制御動作は、いずれの動作も単独で用いられてもよいが、複数の動作が組み合わされて用いられてもよい。以下に説明する動作のそれぞれによれば、十分な省電力性能を達成することができるが、複数の動作を組み合わせることによって、さらなる省電力性能を得ることが可能となる。
【００２７】
（処理例１）
本処理例では、画像処理装置２００において情報を提示する機能に関する省電力制御について説明する。情報提示機能に関する省電力制御を実現するには、例えばその情報提示機能をオフとすることにより達成できることは明らかである。しかしながら、画像処理装置２００は、例えばインク切れや紙切れ、またはその他の機能不全が生じている場合などのエラーが生じて待機している状態となっている場合がある。このとき、画像処理装置２００は、省電力制御中であったとしても、ユーザに何らかの情報を提示する必要がある。また、画像処理装置２００は、その他の情報をユーザに提示する必要が生じた状態で待機状態となっている場合もありうる。すなわち、画像処理装置２００は、省電力制御中の待機時間であればすべての情報提示機能をオフとすればよいというわけではなく、何らかの情報をユーザに通知すべき際に、その通知を低電力で実行することができる必要がある。このため、本処理例では、画像処理装置２００が情報提示機能の一部の機能をオフとすることによって、消費電力の低減を図る。
【００２８】
なお、以下の説明では、画像処理装置２００が図５のようなＵＩパネルを有する場合の制御例を示すがこれに限られない。例えば、画像処理装置２００は、それぞれ消費電力が異なる複数の情報提示機構を有し、それらに関する省電力制御を以下の手法に準じて実行することができる。なお、情報提示機構とは、例えば、以下に説明するようにディスプレイやＬＥＤでありうるが、例えば音声ガイダンス用のスピーカや、ブザー音出力機能等であってもよい。
【００２９】
図５は、画像処理装置２００に備えられたＵＩパネルの構成例を示す図である。図５において、ＵＩパネル５００には、液晶表示装置５０１、パワーＬＥＤ５０２、エラーＬＥＤ５０３、選択キー５０４、電源キー５０５、レジュームキー５０６が配置されている。これらのうち、液晶表示装置５０１、パワーＬＥＤ５０２、及び、エラーＬＥＤ５０３は、図２の表示部２１０に対応し、それぞれ画像処理装置２００の表示機能の一部を構成する。選択キー５０４、電源キー５０５、レジュームキー５０６は、それぞれ操作部２０９の一部であり、ユーザによる操作を受け付ける。
【００３０】
ここで、液晶表示装置５０１は、例えば面（平面、曲面、またはその組み合わせ）状の表示装置であって、任意の文字や図形を表示することにより、画像処理装置２００のユーザに対して多様な情報を提示することができる。パワーＬＥＤ５０２及びエラーＬＥＤ５０３は、それぞれ、例えば緑色及び橙色のＬＥＤ（発光ダイオード）であって、点灯または消灯状態を維持し、または点灯と消灯とを時系列的に変化させることによって、ユーザに情報を提示することができる。一般に、ＬＥＤは液晶表示装置と比較して時間当たりの電力消費量が小さい特徴がある。ここで、図５のＵＩパネルによる電力消費量について説明する。液晶表示装置５０１による、所定の時間である単位時間ごとの電力消費量は、第１の値である。パワーＬＥＤ５０２及びエラーＬＥＤ５０３については、それらの組み合わせによる、上記単位時間と同じ時間ごとの電力消費量が、第１の値より小さい第２の値である。すなわち、液晶表示装置５０１の表示により、パワーＬＥＤ５０２及びエラーＬＥＤ５０３の点灯よりも多くの電力が消費される。
【００３１】
図６（ａ）〜図６（ｃ）を用いて、本処理例における、省電力処理の動作について説明する。まず、図６（ａ）を用いて、画像処理装置２００が、Ｓ４０５において非省電力状態に設定されている場合に実行するＵＩパネルに関する情報提示制御の例について説明する。非省電力状態では、画像処理装置２００は、通常の印刷動作中にもエラー発生時にも、液晶表示装置５０１に情報の表示を行わせるように制御を行う。液晶表示装置５０１は、通常の印刷動作中には通常の表示を行い、エラーが発生している場合にはエラーの詳細情報を表示する。また、画像処理装置２００は、パワーＬＥＤ５０２に、画像処理装置が電源ＯＮ状態にある間は点灯状態を維持させ、エラーＬＥＤ５０３に、エラー発生時に点灯させると共にエラーが解除されると消灯させるように制御を行う。ユーザは、エラーＬＥＤ５０３が点灯状態にあることよって、画像処理装置２００においてエラーが発生していることを認知することができ、液晶表示装置５０１でエラーの詳細情報を確認することができる。
【００３２】
次に、図６（ｂ）及び図６（ｃ）を用いて、画像処理装置２００が、Ｓ４０４において省電力状態に設定されている場合に実行するＵＩパネルに関する情報提示制御の例について説明する。画像処理装置２００は、図６（ｂ）及び図６（ｃ）に示すように、省電力状態においては、液晶表示装置５０１を消灯し、情報の通知を、パワーＬＥＤ５０２及びエラーＬＥＤ５０３によって行うようにする。すなわち、図６（ａ）では、パワーＬＥＤ５０２及びエラーＬＥＤ５０３による情報の提示は大まかなものしか行っていなかったが、省電力制御の実行中には、パワーＬＥＤ５０２及びエラーＬＥＤ５０３によってより詳細な情報を提示するようにする。所定の時間である単位時間ごとの消費電力がより大きい液晶表示装置５０１を消灯し、単位時間ごとの消費電力がより小さいパワーＬＥＤ５０２及びエラーＬＥＤ５０３で情報を通知することにより、画像処理装置２００の消費電力を低減することができる。なお、パワーＬＥＤ５０２及びエラーＬＥＤ５０３の消費電力が他の情報提示機能の消費電力より大きい場合は、パワーＬＥＤ５０２及びエラーＬＥＤ５０３をオフとするようにしてもよい。
【００３３】
図６（ｂ）では、画像処理装置２００は、印刷動作状態にある間、パワーＬＥＤ５０２に、長周期の点滅を繰り返させるように制御を行う。一方、画像処理装置２００は、ユーザによる何らかの操作が要求されるオペレータコールエラーが発生して印刷動作が中断されると、パワーＬＥＤ５０２に長周期の点滅を終了させて点灯状態を維持させるための制御を行う。一方、画像処理装置２００は、エラーＬＥＤ５０３を、通常状態では消灯させ、エラー発生時に所定回数だけ短周期の点滅をさせた後に一定時間消灯する動作をエラーが解除されるまで繰り返させるように制御を行う。ユーザは、エラーＬＥＤ５０３が点滅状態にあることを認識することによって画像処理装置のエラー発生を認知することができる。また、エラーの種類ごとに点滅の所定回数を変更することによって、ユーザは、エラーＬＥＤ５０３が短周期で何回点滅したかを認識することによって、エラーの詳細情報を確認することができる。
【００３４】
図６（ｃ）では、図６（ｂ）と同様に、画像処理装置２００は、印刷動作状態にある間、パワーＬＥＤ５０２に、長周期の点滅を繰り返させるように制御を行う。そして、画像処理装置２００は、ユーザによる操作ではエラーからの復帰が困難なサービスコールエラーが発生して印刷動作が中断されると、パワーＬＥＤ５０２に、エラーＬＥＤ５０３と点灯・消灯を入れ替えた表示を行わせるための制御を行う。すなわち、パワーＬＥＤ５０２は、エラーＬＥＤ５０３が消灯している間に点灯し、エラーＬＥＤ５０３が点灯している間は消灯する。図６（ｂ）及び図６（ｃ）のように、ユーザによる操作でエラーからの復帰が期待されるオペレータコールエラーと、ユーザによる操作ではエラーからの復帰が困難なサービスコールエラーとのいずれが発生したかに応じて、点灯消灯パターンが変更されうる。これにより、ユーザは、発生したエラーに応じた対処を行うことができる。なお、例えば図６（ｃ）のように複数のＬＥＤによりエラーを通知するように構成することで、ユーザに対して、より緊急度の高いエラーが発生したことを感覚的に通知することができる。なお、エラーの種類ごとに点滅の所定回数を変更することによって、ユーザは、パワーＬＥＤ５０２とエラーＬＥＤ５０３が短周期で何回点滅したかを認識することによって、エラーの詳細情報を確認することができる。
【００３５】
このように、非省電力状態では、画像処理装置２００は、相対的に消費電力が大きい液晶表示装置５０１によってユーザに詳細な情報を提供し、消費電力が比較的小さいパワーＬＥＤ５０２及びエラーＬＥＤ５０３を、補助的な情報を表示するのに用いる。一方、省電力状態では、画像処理装置２００は、液晶表示装置５０１を消灯して、パワーＬＥＤ５０２及びエラーＬＥＤ５０３を用いて、ユーザに対して必要最低限の情報を提供できる表示モードに移行する。これにより、画像処理装置２００は、印刷機能を実行中の消費電力を抑えることができると共に、例えばエラー発生時の待機期間中において、十分に小さい電力必要な情報をユーザに通知することができる。
【００３６】
なお、本処理例では、印刷処理の実行中にエラーが発生した場合の情報提示の例について説明したが、これに限られない。例えば、待機時間中に何らかの通知すべき情報が発生した場合に、同様の処理が実行される。この場合、画像処理装置２００は、通知すべき情報が発生していない間は、液晶表示装置５０１、パワーＬＥＤ５０２及びエラーＬＥＤ５０３をいずれもオフとしてもよいし、例えば、数秒に１度等の一定の頻度でパワーＬＥＤ５０２を点滅させてもよい。そして、画像処理装置２００は、通知すべき情報が発生した場合に、図６（ａ）〜図６（ｃ）のように情報を提示しうる。例えば、画像処理装置２００は、省電力制御中でない場合、特に提示する情報がない場合には液晶表示装置５０１をオフとしておき、情報提示の際に液晶表示装置５０１をオンとしうる。また、画像処理装置２００は、省電力制御中の場合、特に提示する情報がない場合にはパワーＬＥＤ５０２及びエラーＬＥＤ５０３をオフとしておき、情報提示の際にパワーＬＥＤ５０２及びエラーＬＥＤ５０３を用いて情報を提示しうる。
【００３７】
なお、上述の説明では、液晶表示装置５０１で情報を提示する際には、図６（ｂ）及び図６（ｃ）に示すようなパワーＬＥＤ５０２及びエラーＬＥＤ５０３の制御を行わない例を示したが、これらの制御をも併せて実行してもよい。これにより、例えば遠くに離れた位置に存在するユーザが、液晶表示装置５０１の情報を読み取らずとも、どのような情報が提示されているかを認識することができる。
【００３８】
なお、スピーカ等による音での情報提示が代わりに用いられてもよく、画像処理装置２００は、例えば非省電力制御中に自然言語を用いた音声ガイダンスによって情報を提示し、省電力制御中にはブザー音を用いて情報を提示してもよい。ブザー音を用いる場合、例えば、音の長さ／音の高低／音の発生回数等によって、様々な情報を通知しうる。
【００３９】
（処理例２）
本処理例では、画像処理装置２００が外部の装置と通信する際に用いる通信インタフェースに関する省電力制御について説明する。本処理例に係る画像処理装置２００は、例えば、図２で説明したように、通信インタフェースとして、ＷＬＡＮ、ＵＳＢ及びＢＴの通信インタフェースを有する。なお、これは一例に過ぎず、画像処理装置２００は、例えばＥｔｈｅｒｎｅｔ（登録商標）等の、他の通信インタフェースを有していてもよい。
【００４０】
図７に、画像処理装置２００と、画像処理装置２００が有する各インタフェース（ＷＬＡＮ、ＵＳＢ、及びＢＴ）にそれぞれ１台ずつのホスト装置が接続されている状態の例を示す。ホスト装置は、必要に応じて画像処理装置２００の状態を示す情報を取得してユーザにその情報を通知するため、例えば３秒間隔で周期的に状態を問い合わせる。図８（ａ）及び図８（ｂ）は、ホスト装置からの問い合わせに応じて、待機状態にある画像処理装置２００が返送するステータス応答コマンドの例を示す図である。図８（ａ）は、非省電力状態に滞在していることを示すステータス応答コマンドの例であり、図８（ｂ）は、省電力状態に滞在していることを通知するステータス応答コマンドの例である。ステータス応答コマンドのうち、項目「ＰＯＷＥＲ」は、画像処理装置２００の電源がオンであるかオフであるかを示す情報であり、項目「ＳＴＡＴＵＳ」は、例えば画像処理装置２００が印刷処理等の処理を実行中であるか待機中であるかを示す情報である。また、項目「ＰＯＷＳＡＶＥ」は、画像処理装置２００が省電力状態であるか否かを示す情報である。例えば、ホスト装置は、ステータス応答コマンドのうち、「ＰＯＷＳＡＶＥ」が「ＯＮ」であることを確認した場合、画像処理装置２００への状態問い合わせの周期を、例えば３０秒に変更する。すなわち、画像処理装置２００は、「ＰＯＷＳＡＶＥ」を「ＯＮ」としたステータス応答コマンドをホスト装置に送信することによって、ホスト装置から送信されてくる問い合わせの周期を長くすることができる。
【００４１】
ホスト装置は、この問い合わせの頻度が高いほど、画像処理装置２００のよりリアルタイムに近い状態を知ることができ、ユーザの利便性も向上する。一方で、画像処理装置２００は、データ通信が発生する度に、通信インタフェースを待機状態から通信状態に移行させる必要があるため、消費電力が増大する。このため、画像処理装置２００は、省電力状態にある期間において、ユーザの利便性を一定の度合いで担保できる範囲で、ホスト装置からの状態問い合わせの頻度を下げさせるためのステータス応答コマンドを送信する。これにより、画像処理装置２００は、自身の消費電力を削減することができる。
【００４２】
（処理例３）
処理例２では、画像処理装置２００は、ホスト装置に対して、状態の問い合わせをする頻度を下げさせるためのステータス応答コマンドを送信する例について説明した。本処理例では、画像処理装置２００は、省電力状態において、通信インタフェースを適応的に無効化することにより、消費電力の削減を図る。例えば、画像処理装置２００は、どの通信インタフェースが使用されたかの履歴に応じて、例えば処理に使用される確率が低いことが想定される通信インタフェースをオフにする。
【００４３】
図９（ａ）及び図９（ｂ）は、画像処理装置２００のどの通信インタフェースによってホスト装置と通信を行ったかに関する履歴を管理するための管理テーブルの例を示す図である。管理テーブルは、例えば不揮発性メモリ２０５上に記録される。図９（ａ）は、ある時点での管理テーブルの状態を示しており、図９（ｂ）は、ＵＳＢに接続されたホスト装置から印刷ジョブを受け付けたことによって更新された管理テーブルの例を示している。管理テーブルでは、使用される傾向が高い順に、通信インタフェースが管理される。すなわち、図９（ａ）の状態では、ＷＬＡＮの使用される傾向が最も高く、次いで、ＵＳＢ、最後にＢＴの使用される傾向が高いと判断される。なお、管理情報では、例えば使用頻度が高い通信インタフェースほど高い順位で管理されてもよいし、使用されたタイミングが現在時刻に近い通信インタフェースほど高い順位で管理されてもよい。また、各通信インタフェースに送信された印刷ジョブの数や、累計の接続時間その他の履歴情報を記録し、それらの情報に基づいて、管理テーブルが更新されてもよい。
【００４４】
画像処理装置２００は、図９（ａ）の状態においてＵＳＢに接続されたホスト装置から印刷ジョブを受け付けると、管理テーブルの記録を更新し、図９（ｂ）のように、「ＵＳＢ」を第１順位に変更し、「ＷＬＡＮ」を第２順位に変更する。画像処理装置２００は、省電力状態に移行すると、この管理テーブルに基づいて、順位が低く、使用される傾向が低いと推定される通信インタフェースを無効化する。すなわち、画像処理装置２００は、複数の通信インタフェースのうち、無効化しても、自身と接続を確立することが多いホスト装置との通信に対して影響を与えない通信インタフェースを選択的に無効化する。これにより、画像処理装置２００は、ホスト装置との接続性に多くの影響を与えずに電力消費を削減することができる。
【００４５】
また、上述の説明では、画像処理装置２００が、ホスト装置との通信に用いる傾向に応じて、通信インタフェースを順位付け、順位の低い（使用される傾向が低い）通信インタフェースから順に無効化する。これに対して、画像処理装置２００は、ユーザが操作によって指定した優先順位に従ってもよい。すなわち、ユーザは、図９（ａ）又は図９（ｂ）のような順位を、ＵＩパネルやホスト装置上のアプリケーションソフトウェア等を操作することによって指定する。画像処理装置２００は、ＵＩパネルやインタフェース経由で送付された設定コマンド等を通じて、管理テーブルを設定する。そして、画像処理装置２００は、省電力状態において、この管理テーブルに従って、ユーザによって指定された順位において低い順位の通信インタフェースを無効化するようにする。
【００４６】
なお、画像処理装置２００は、管理テーブルにおいて順位が所定順位以上の通信インタフェースを残して順位の低い通信インタフェースを一斉に無効化してもよいし、例えば電池残量に基づいて順次通信インタフェースを無効化してもよい。例えば、画像処理装置２００は、図９（ｂ）の管理テーブルを管理している場合に、電池残量が所定値まで低下したことに応じて省電力状態へと移行し、ＵＳＢ通信インタフェースのみを残し、ＷＬＡＮ及びＢＴの通信インタフェースを無効化しうる。これにより、画像処理装置２００は、省電力状態において、有効状態で待機しているが使用されない通信インタフェースを一斉に減らし、その結果、消費電力を大幅に減らすことができる。また、例えば、画像処理装置２００は、図９（ｂ）の管理テーブルを管理している場合に、電池残量が第１の所定値まで低下したことに応じて第１の省電力状態に移行してＢＴ通信インタフェースを無効化してもよい。その後、画像処理装置２００は、電池残量が第１の所定値より低い第２の所定値まで低下したことに応じて第２の省電力状態に移行してさらにＷＬＡＮ通信インタフェースを無効化しうる。これにより、電池残量に応じて、逐次的に無効化する通信インタフェースを増やし、電池残量が少ないほど消費電力の削減量を大きくするようにすることができる。
【００４７】
なお、通信インタフェースが使用される傾向にあるほど高い値を示す指標を別途用意し、その指標に応じてその通信インタフェースを無効化すべき電池残量を適応的に決定してもよい。すなわち、使用頻度等がほぼ一致する２つの通信インタフェースが存在する場合に、図９（ａ）又は図９（ｂ）に示すように、通信インタフェースの順位のみで管理すると、実際には使用頻度等が同じであるのに、一方のみが無効化されてしまいうる。これに対して、使用頻度等に応じた上述の指標を用いることで、同程度に使用される傾向にある通信インタフェースは同様の電池残量において同時に無効化され、または、同時に有効状態を維持される。例えば、画像処理装置２００は、電池残量が所定値まで低下したことに応じて省電力状態へと移行し、省電力状態において、上述の指標が所定値を下回る通信インタフェースを無効化するようにしうる。すなわち、各通信インタフェースは、順位が高くても、指標値が低ければ無効化され、順位が低くても、指標値が高ければ有効状態を維持されうる。これにより、使用される傾向が高いにもかかわらず、順位が高くないだけで無効化されてしまう通信インタフェースが発生することを防ぐことができる。
【００４８】
なお、画像処理装置２００は、省電力状態であっても、通信インタフェースを少なくとも１つ有効状態で維持するようにしうる。これにより、いずれのホスト装置とも通信できない状態となることを防ぐことができる。なお、画像処理装置２００は、例えばＵＩパネルを介したユーザ操作を受け付けるまでは、すべての通信インタフェースを無効化しているようにしてもよい。また、画像処理装置２００は、省電力状態へと移行した際に何らかの通信インタフェースで通信を実行中である場合は、その通信インタフェースについては、その順位によらず無効化せずに有効状態を維持しうる。これにより、継続中の通信が切断されることを防ぐことができる。
【００４９】
（処理例４）
画像処理装置は、一般に、省電力状態にない期間であっても、不必要な電力消費を抑えるため、待機状態が一定時間継続されたことにより消費電力を抑制するための様々な動作を行うことができる。例えば、液晶表示装置は大量に電力を消費することが知られている。このため、画像処理装置は、一定時間の待機時間の後に、バックライトの消灯を行う。また、インクジェットプリンタは、プリントヘッドの保護のため、待機時には、このプリントヘッドにキャップする、いわゆるキャッピングを行うことがある。キャッピングをせずに待機する状態では、プリントヘッド保守のためのインク吐出動作が行われる等によって、キャッピング状態より消費電力が大きいため、キャッピングにより、消費電力を抑えることができる。ただし、キャッピング状態から印刷可能状態への移行には時間がかかるため、インクジェットプリンタは、一般に、印刷ジョブの終了後は続く印刷ジョブに備えて、プリントヘッドをキャッピングせず一定時間待機する制御を行う。
【００５０】
これに対して、本処理例に係る画像処理装置２００は、図１０に示すように、省電力状態において、これらの技術による消費電力低減効果をさらに向上させるための設定の変更を行う。
【００５１】
例えば、画像処理装置２００は、液晶表示装置のバックライトの消灯を行うまでの上述の待機時間を、非省電力状態と比べて、省電力状態において短縮する。すなわち、非省電力状態では、所定の処理が完了した後に、バックライトが消灯するまで５分待機するところ、省電力状態では、その待機時間を１分に短縮する。なお、処理例１のように、省電力状態において液晶表示装置をオフとする構成では、液晶表示装置をオフとする前の段階において、本制御を実行しうる。すなわち、画像処理装置２００は、例えば電池残量が減少して第１の値に達した場合に、液晶表示装置のバックライトの消灯までの待機時間を短縮する制御を実行する。その後、例えば電池残量がさらに減少して第１の値より小さい第２の値に達した場合に、画像処理装置２００は、処理例１で説明したように、液晶表示装置をオフとしてもよい。
【００５２】
また、インクジェットプリンタである画像処理装置２００は、印刷ジョブの終了後、続く印刷ジョブに備えることなく、ただちにキャッピングを行う。なお、画像処理装置２００は、印刷ジョブの終了にキャッピングを行うまでの待機時間を短くするだけでもよく、その待機時間を０秒としなくてもよい。これにより、画像処理装置２００は、キャッピング処理を行う前に待機する期間の電力消費を抑えることができる。また、画像処理装置２００は、この処理により、待機状態の間にキャッピングに必要な電力をバッテリ装置が供給できない程度に電池残量が減少してしまうことで、プリントヘッドがキャッピングできないことを防ぐことができる。これにより、画像処理装置２００は、プリントヘッドを適切に保護することができる。
【００５３】
また、画像処理装置は、一般に、エラー状態にあっては異常状態解除後の動作に備えるため、また、タンク交換のためのアクセスカバー開状態ではユーザの作業性確保のため、それぞれに関連する構成要素への給電の停止を許容しない。これに対して、本実施形態に係る画像処理装置２００は、例えば画像処理装置２００のエラー状態において、また、アクセスカバー開状態において、通常時にはそれぞれ起動しておくべき所定の構成要素に対して電力の供給を停止することを許容する。なお、画像処理装置２００は、エラー状態に関連して通常時には起動しておくべきであるが低電力制御であるために電力供給を停止している所定の構成要素へ、例えばエラーからの復帰のための所定のユーザ操作を受け付けたことに応じて、電力を供給しうる。同様に、画像処理装置２００は、アクセスカバー開状態に関連して通常時には起動しておくべきであるが低電力制御であるために電力供給を停止している所定の構成要素へ、例えばタンク交換等のための所定の操作が行われたことに応じて、電力を供給しうる。このように、画像処理装置２００は、省電力状態において、一般的には起動しておくべき各構成要素に対しても電力を供給しないことによって、消費電力の低減を図ることができる。なお、画像処理装置２００は、アクセスカバー開状態に限られず、所定の操作が行われている状態において、省電力制御が行われているか否かに応じて、低消費電力状態への移行を許容するか否かを変更しうる。
【００５４】
さらに、画像処理装置は、システム状態をＳｌｅｅｐ状態とすることにより、システム状態がＮｅｕｔｒａｌ状態の場合と比して消費電力が削減しうる。ここで、Ｎｅｕｔｒａｌ状態とは、例えば、画像処理装置が主として実行する処理（印刷処理等）をデータ受付等の所定のアクションに応じて直ちに実行できるように待ち受けている状態である。これに対して、Ｓｌｅｅｐ状態は、例えば、所定のアクションを受け付けた場合に、そのアクションに応答する処理を実行する機能部の起動処理を行うため、実際に処理が実行されるまでの期間が、Ｎｅｕｔｒａｌ状態より長くなる。このため、本実施形態に係る画像処理装置２００は、非消費電力状態では、一定期間待機状態にある場合であってもＳｌｅｅｐ状態へは移行せずＮｅｕｔｒａｌ状態を維持し、省電力状態ではＮｅｕｔｒａｌ状態にならずにＳｌｅｅｐ状態へ移行するようにする。これにより、画像処理装置２００は、省電力状態における電力消費を抑えることが可能となる。
【００５５】
以上のように、上述の各種処理のいずれかまたは任意の組み合わせによって、画像処理装置の省電力化を図ることができる。なお、上述の実施形態では、電池残量が所定値以下となったことに応じて各種省電力制御動作を実行する例について説明したが、電池残量によらず、上述の処理が実行されてもよい。また、バッテリを有さずにＡＣ電源装置からの給電によってのみ動作する画像処理装置においても、上述の各種省電力制御動作を実行することにより、省電力化を図ることができる。この場合、画像処理装置は、バッテリを有しないため、例えば、ユーザ設定に応じたタイミングで、または、印刷等の主要動作が一定期間実行されなかった場合に、上述の省電力制御動作を実行するようにしてもよい。
【００５６】
＜＜その他の実施形態＞＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５７】
１００：ＡＣ電源装置、２００：画像処理装置、３００：バッテリ装置、２０５：不揮発性メモリ、２１０：表示部、２１７：電源制御部、２１８：ＡＣ電源接続ユニット、５０１：液晶表示装置、５０２：パワーＬＥＤ、５０３：エラーＬＥＤ
【図１】
2018081494.tif 000003
【図２】
2018081494.tif 000004
【図３】
2018081494.tif 000005
【図４】
2018081494.tif 000006
【図５】
2018081494.tif 000007
【図６】
2018081494.tif 000008
【図７】
2018081494.tif 000009
【図８】
2018081494.tif 000010
【図９】
2018081494.tif 000011
【図１０】
2018081494.tif 000012